(57)【要約】【課題】壁材等が薄いボードやプラスチック板等の強度が低い部材、または金属板等のビスのききにくい部材でも、被固定物をガタツキがなく確実に取付ける。構造が簡易で部品点数を減少させる。ナットの螺合が容易で組み付け作業を簡易迅速に行う。【解決手段】雄ねじ１１をその軸心方向に分割された一半部１２と他半部１３とから形成する。一半部１２と他半部１３の頭部から雄ねじ１１の軸心方向と直交する方向に挟持杆部１５，１６を夫々延設する。一半部１２と他半部１３を当接させた状態で、挟持杆部１５，１６が相互に離間する方向に形成され、雄ねじ１１の挟持杆部１５，１６を壁材１に穿設された挿入孔３の前面１ａ側より壁材１の裏面１ｂ側に挿入する。壁材１の前面１ａ側に突出する雄ねじ１１に被固定物２１をナット３１を螺合させることにより取付ける。【選択図】  図１
2004245255.tif 000002
【特許請求の範囲】
【請求項１】
壁材等の板材に穿設された挿入孔に雄ねじを挿通し、被固定物に形成された透孔に前記雄ねじを挿通し、該雄ねじの先端側にナットを螺合させることにより、壁材等の板材の前面側に被固定物を固定する壁材等の板材への被固定物の固定構造において、
前記雄ねじがその軸心方向に分割された少なくとも一半部と他半部とを有し、該雄ねじの一半部と他半部の頭部から雄ねじの軸心方向と直交する方向に夫々延設された板材の挟持杆部とを有し、該雄ねじの一半部と他半部の当接面を当接させた状態で、該雄ねじの一半部と他半部の挟持杆部が相互に離間する方向に形成され、前記雄ねじの一半部と他半部の挟持杆部を壁材等の板材に穿設された挿入孔の前面側より壁材等の板材の裏面側に挿入し、前記雄ねじの一半部と他半部の当接面を当接させ、壁材等の板材の前面側に突出する雄ねじに被固定物を取付け、該雄ねじの先端側にナットを螺合させることにより、壁材等の板材の前面側に被固定物を固定することを特徴とする壁材等の板材への被固定物の固定構造。
【請求項２】
前記壁材等の板材の挿入孔に長孔部が形成されていることを特徴とする請求項１に記載の壁材等の板材への被固定物の固定構造。
【請求項３】
前記壁材等の板材の挿入孔に挿入される挟持杆部の幅が前記雄ねじの径と略同一に形成され、挟持杆部の厚みが挟持杆部の幅より小さく形成されていることを特徴とする請求項１または請求項２に記載の壁材等の板材への被固定物の固定構造。
【請求項４】
前記被固定物の外周にねじ溝が形成され、該被固定物に所望とする取付部材が取付けられることを特徴とする請求項１乃至請求項３の何れかに記載の壁材等の板材への被固定物の固定構造。
【発明の詳細な説明】
【０００１】
【発明の属する技術分野】
本発明は、壁材等の板材への被固定物の固定構造に関し、更に詳細に説明すると、壁材等の板材に穿設された挿入孔に雄ねじを挿通し、被固定物に形成された透孔に前記雄ねじを挿通し、該雄ねじの先端側にナットを螺合させることにより、壁材等の板材の前面側に被固定物を固定する壁材等の板材への被固定物の固定構造に関する。
【０００２】
【従来の技術】
従来より、薄い石膏ボード等のボードや鉄板、またはプラスチック板や木製板等のビスのきかない、またはききにくい壁材等の板材に、手摺り，把手等の付属品や、クーラー等の取付器具としてのプレート等からなる取付部材を取付ける場合には、複雑な組み付け工法を採用し、煩雑な取付け作業が要請されるのが一般的であった。
【０００３】
また、壁材が薄い石膏ボード等のボードやプラスチック板，木製板等の強度が低い部材の場合には、別途補強部材が必要となり、壁材が鉄板等の金属板の場合には直接ビスが挿通できないものであった。このため補強部材を壁材の裏面に取付けるものが存在する（例えば特許文献１，特許文献２参照。）。また一方向ボルトとして雄ねじのねじ部を軸心方向に沿って４分割に構成し、接合強度を向上させるものが存在する（特許文献３参照。）。
【０００４】
【特許文献１】
特開平９−７２３１８号公報
【特許文献２】
特開平９−１３７８１０号公報
【特許文献３】
特開２０００−３９００８号公報
【０００５】
【発明が解決しようとする課題】
然し乍ら、従来の特許文献１または特許文献２に記載の被固定物の壁材への取付用器具及び方法、及び壁材補強具では構造が複雑で施工性が悪く、部品点数が増大し、組み付け作業や部品管理が煩雑となり、コストアップとなり経済性に欠けるものであった。また特許文献３の一方向ボルトでは部品点数が増大し、寸法精度が要求され、挿入穴に挿入が困難で、多数に分割されたねじ部のねじ山を連続させるのが困難でナットの螺合や組み付け作業能率を向上させることができず、特許文献１または特許文献２と同様に経済性に欠けるものであった。
【０００６】
本発明の目的は、壁材等の板材が薄い石膏ボード等のボードやプラスチック板，木製板等の強度が低い部材の場合にも別途補強部材を必要とせずに補強状態を得ることができ、壁材等がボードやプラスチック板，木製板，鉄板等の金属板の場合にも手摺り，把手等の付属品や、取付器具等のプレート等の取付部材からなる被固定物をガタツキがなく簡易迅速且つ確実に取付けることができ、壁材等の内側にスペースがなくても簡易に挿入でき、構造が簡易で部品点数も少なく、ナットの螺合が容易で組み付け作業を簡易迅速に行うことができ、著しく経済性に優れた壁材等の板材への被固定物の固定構造を提供するものである。
【０００７】
【課題を解決するための手段】
本発明は上述せる課題に鑑みてなされたもので、本発明の請求項１に記載の壁材等の板材への被固定物の固定構造は、壁材等の板材に穿設された挿入孔に雄ねじを挿通し、被固定物に形成された透孔に前記雄ねじを挿通し、該雄ねじの先端側にナットを螺合させることにより、壁材等の板材の前面側に被固定物を固定する壁材等の板材への被固定物の固定構造において、
前記雄ねじがその軸心方向に分割された少なくとも一半部と他半部とを有し、該雄ねじの一半部と他半部の頭部から雄ねじの軸心方向と直交する方向に夫々延設された板材の挟持杆部とを有し、該雄ねじの一半部と他半部の当接面を当接させた状態で、該雄ねじの一半部と他半部の挟持杆部が相互に離間する方向に形成され、前記雄ねじの一半部と他半部の挟持杆部を壁材等の板材に穿設された挿入孔の前面側より壁材等の板材の裏面側に挿入し、前記雄ねじの一半部と他半部の当接面を当接させ、壁材等の板材の前面側に突出する雄ねじに被固定物を取付け、該雄ねじの先端側にナットを螺合させることにより、壁材等の板材の前面側に被固定物を固定することを特徴とする。
【０００８】
また、本発明の請求項２に記載の壁材等の板材への被固定物の固定構造は、前記壁材等の板材の挿入孔に長孔部が形成されていることを特徴とする。
【０００９】
また、本発明の請求項３に記載の壁材等の板材への被固定物の固定構造は、前記壁材等の板材の挿入孔に挿入される挟持杆部の幅が前記雄ねじの径と略同一に形成され、挟持杆部の厚みが挟持杆部の幅より小さく形成されていることを特徴とする。
【００１０】
また、本発明の請求項４に記載の壁材等の板材への被固定物の固定構造は、前記被固定物の外周にねじ溝が形成され、該被固定物に所望とする取付部材が取付けられることを特徴とする。
【００１１】
【発明の実施の形態】
以下本発明に係る壁材等の板材への被固定物の固定構造を図面を参照して詳述する。
図１乃至図５には、本発明に係る壁材等の板材への被固定物の固定構造の実施の形態が夫々示されており、本実施の形態では板材として壁材に適用した場合につき説明するが、壁材に限定されるものではなく、ドアーやその他の板材に適用することができる。
【００１２】
図３（ａ），（ｂ）及び図４に夫々示す如く、壁材１に穿設された挿入孔３に雄ねじ１１を挿通する。壁材１は厚さが、例えば１５〜２０ｍｍの薄い石膏ボード等のボードやプラスチック板等のビスのきかない、またはききにくい部材から形成されているが、異なる厚さの鉄板や木製板等やその他の材質であってもよい。壁材１に穿設される挿入孔３は雄ねじ１１の直径より多少大きく形成される。
【００１３】
この雄ねじ１１は、図２（ａ），（ｂ），（ｃ）に示す如く、その軸心方向に分割された少なくとも一半部１２と他半部１３とを有し、この雄ねじ１１の一半部１２と他半部１３の頭部１２ａ，１３ａから雄ねじ１１の軸心方向と直交する方向に夫々延設された板材の挟持杆部１５，１６とを有している。尚、雄ねじ１１の大きさ及び形状は図示のものに限定されるものではない。
【００１４】
尚、雄ねじ１１は本実施の形態では合成樹脂材より形成したが金属製であってもよい。また雄ねじ１１の一半部１２と他半部１３は比較的長く形成され、後述するように、組付け後に不要な部分をカットすることができるように形成されているが、長さの異なるものを複数用意しておくことで対応してもよい。
【００１５】
前記雄ねじ１１の一半部１２と他半部１３の当接面１２ｂ，１３ｂ同士を当接させた状態で、雄ねじ１１の一半部１２と他半部１３の挟持杆部１５，１６が夫々相互に離間する方向に形成されている。前記挟持杆部１５，１６の幅が前記雄ねじ１１の径と略同一に形成され、挟持杆部１５，１６の厚みが雄ねじ１１の半径と略同一で、挟持杆部１５，１６の幅より小さく形成されている。尚、挟持杆部１５，１６の長さ及び形状は図示のものに限定されるものではない。
【００１６】
図３（ａ）に示す如く、前記雄ねじ１１の他半部１３の挟持杆部１６を壁材１に穿設された挿入孔３の前面１ａ側より壁材１の裏面１ｂ側に矢印で示す如く挿入し、図３（ｂ）に示す如く、前記雄ねじ１１の他半部１３の頭部１３ａ側を矢印で示す如く、略９０°回動させて挟持杆部１６の長手方向を壁材１の裏面１ｂ側に沿わせる。
【００１７】
同様に、前記雄ねじ１１の一半部１２の挟持杆部１５を壁材１に穿設された挿入孔３の前面１ａ側より壁材１の裏面１ｂ側に挿入する。雄ねじ１１の一半部１２と他半部１３の当接面１２ｂ，１３ｂ同士を当接させ、雄ねじ１１の一半部１２と他半部１３を壁材１の前面１ａ側に引張り、挟持杆部１５，１６の内側を壁材１の裏面１ｂ側に当接させる。
【００１８】
尚、一半部１２の挟持杆部１５を先に挿入孔３に挿入するものであってもよく、更に一半部１２と他半部１３の挟持杆部１５，１６を同時に挿入してもよい。壁材１の裏面１ｂ側の空間が小さい場合にも雄ねじ１１の一半部１２と他半部１３の挟持杆部１５，１６を容易に挿入することができる。
【００１９】
また、挿入孔３の大きさに対して壁材１の厚みが大きい場合、または挟持杆部１５，１６の厚みが大きい場合には、一半部１２と他半部１３の雄ねじ１１の頭部１２ａ，１３ａ側の挟持杆部１５，１６の外側に切欠部１５ａ，１６ａを形成する。また挿入孔３を長穴部に形成すれば、一半部１２と他半部１３の挟持杆部１５，１６を容易に挿入することができ、挿入後雄ねじ１１を９０°回動させて固定するようにしてもよい。
【００２０】
図４に示す如く、雄ねじ１１の一半部１２と他半部１３の挟持杆部１５，１６を相互に離間する方向に配置し、雄ねじ１１の一半部１２と他半部１３の当接面１２ｂ，１３ｂ同士を当接させることにより、雄ねじ１１の先端側が壁材１の前面１ａ側に突出した状態となる。
【００２１】
図５に示す如く、雄ねじ１１の先端側が壁材１の前面１ａ側に突出した状態で、被固定物２１を取付け、雄ねじ１１の先端側にナット３１を螺合させることにより、壁材１の前面１ａ側に被固定物２１が固定される。前記壁材１の裏面１ｂ側に相互に離間する方向に延びた挟持杆部１５，１６は壁材１の補強部材の作用をなしている。
【００２２】
尚、前記ナット３１は合成樹脂材または金属材より形成することができる。また挟持杆部１５，１６側である壁材１の裏面１ｂ側に座金を設けることにより挟持杆部１５，１６による締めつけを強固にすることができる。尚更に、本実施の形態ではナット３１に外向きフランジ部３３を形成したが、外向きフランジ部３３を省略することができ、またナット３１を弾性を有するパッキング材、または座金を介して取付けてもよく、またナット３１の厚さが厚いものを用いることもできる。
【００２３】
前記被固定物２１が所望とする取付部材である場合には、ナット３１を螺合させることにより被固定物２１が固定される。更に取付部材が大きい場合には複数の雄ねじ１１を用いて取付ることができる。
【００２４】
図１に示す如く、前記被固定物２１の外周に形成されたねじ溝２３に、例えば手摺りや把手，フック、等の所望とする取付部材２５側の雌ねじ２７を取付けるものであってもよい。この場合に雄ねじ１１の一半部１２と他半部１３の先端側の余分な長さ部分をカットすることができる。尚、被固定物２１に代えて、クーラー等の取付板を取付部材２５として取付ることもできる。
【００２５】
【発明の効果】
以上が本発明に係る壁材等の板材への被固定物の固定構造の実施の形態であるが、本発明の請求項１に記載の壁材等の板材への被固定物の固定構造によれば、前記雄ねじがその軸心方向に分割された少なくとも一半部と他半部とを有し、該雄ねじの一半部と他半部の頭部から雄ねじの軸心方向と直交する方向に夫々延設された板材の挟持杆部とを有し、該雄ねじの一半部と他半部の当接面を当接させた状態で、該雄ねじの一半部と他半部の挟持杆部が相互に離間する方向に形成され、前記雄ねじの一半部と他半部の挟持杆部を壁材等の板材に穿設された挿入孔の前面側より壁材等の板材の裏面側に挿入し、前記雄ねじの一半部と他半部の当接面を当接させ、壁材等の板材の前面側に突出する雄ねじに被固定物を取付け、該雄ねじの先端側にナットを螺合させることにより、壁材等の板材の前面側に被固定物を固定するので、壁材等の板材が薄い石膏ボード等のボードやプラスチック板，木製板等の強度が低い部材の場合にも別途補強部材を必要とせずに補強状態を得ることができ、壁材等の板材が薄い石膏ボード等のボードやプラスチック板，木製板等、または鉄板等の金属板の場合にも手摺り，把手，フック等の付属品や、取付器具等のプレート等の取付部材からなる被固定物をガタツキがなく簡易迅速且つ確実に取付けることができ、また壁材等の板材の内側に空間が少ない場合にも雄ねじの一半部と他半部の挟持杆部を挿入することができ、構造が簡易で部品点数も少なく、ナットの螺合が容易で組み付け作業を簡易迅速に行うことができ、経済性を向上させることができる。
【００２６】
本発明の請求項２に記載の壁材等の板材への被固定物の固定構造によれば、壁材等の板材の挿入孔に長孔部が形成されているので、壁材の厚みが大きい場合、または挟持杆部の厚みが大きい場合にも容易に挟持杆部を挿入孔に挿入することができる。
【００２７】
本発明の請求項３に記載の壁材等の板材への被固定物の固定構造によれば、前記壁材等の板材の挿入孔に挿入される挟持杆部の幅が前記雄ねじの径と略同一に形成され、挟持杆部の厚みが挟持杆部の幅より小さく形成されているので、挟持杆部を雄ねじの一半部と他半部と略同一の形状の素材から容易に形成することができる。
【００２８】
本発明の請求項４に記載の壁材等の板材への被固定物の固定構造によれば、前記被固定物の外周にねじ溝が形成され、該被固定物に所望とする取付部材が取付けられるので、前記被固定物に所望とする取付部材を簡易迅速に取付けることができる。
【図面の簡単な説明】
【図１】本発明に係る壁材等の板材への被固定物の固定構造の断面図。
【図２】本発明に係る壁材等の板材への被固定物の固定構造の雄ねじを夫々示すもので、（ａ）は側面図、（ｂ）は断面図、（ｃ）は一半部と他半部とを離した状態の側面図。
【図３】本発明に係る壁材等の板材への被固定物の固定構造の雄ねじを壁材の前面側から挿入孔に挿入する状態を夫々示すもので、（ａ）は挟持杆部を挿入している状態の断面図、（ｂ）は挟持杆部を壁材の裏面側に沿わした状態の断面図。
【図４】本発明に係る壁材等の板材への被固定物の固定構造の雄ねじを壁材の前面側から挿入孔に挿入した状態を示す断面図。
【図５】本発明に係る壁材等の板材への被固定物の固定構造の雄ねじに被固定物をナット止めした状態を示す断面図。
【符号の説明】
１      壁材
１ａ    前面
１ｂ    裏面
３      挿入孔
１１    雄ねじ
１２    一半部
１２ａ  頭部
１２ｂ  当接面
１３    他半部
１３ａ  頭部
１３ｂ  当接面
１５    挟持杆部
１５ａ  切欠部
１６    挟持杆部
１６ａ  切欠部
２１    被固定物
２３    ねじ溝
２５    取付部材
２７    雌ねじ
３１    ナット
３３    外向きフランジ部
【図１】
2004245255.tif 000003
【図２】
2004245255.tif 000004
【図３】
2004245255.tif 000005
【図４】
2004245255.tif 000006
【図５】
2004245255.tif 000007